(57)【特許請求の範囲】
【請求項１】
底板の前部に前壁を、前壁の後方にして底板の後部に後壁を立設して断面Ｕ字状のブロック体に構成し、このブロック体の前後壁間の空間部を土や石やコンクリート廃材や岩屑などを重量物として収納し得る収納部に構成すると共に、この収納部の少なくとも上方開放部をこの収納部内に重量物を投入するための投入用開放部に構成し、このブロック体の少なくとも底板と後壁とに肉抜き貫通孔部を設けて前記収納部内の通水部を構成し、このブロック体の前壁下部に前方へ向けて脚部を突設し、この脚部の下部にブロック体の前壁上縁に係止し得る前壁係合部を設けるか若しくは、前記底板にブロック体の後壁上縁に係止し得る後壁係合部を設け、この前壁係合部若しくは後壁係合部を介してブロック体を上下多段に積み上げ設置すると、上方へ行く程後方へ傾斜した大型擁壁が形成されるように構成したことを特徴とする土留用コンクリートブロック。
【請求項２】
前記ブロック体の底板と後壁とに大きな肉抜き貫通孔部を設けて、この底板と後壁とを枠状に構成したことを特徴とする請求項１記載の土留用コンクリートブロック。
【請求項３】
前記脚部は、前記ブロック体の前壁の下部左右部に夫々略水平状態に突設して、この左右の脚部間に下方に設置されたブロック体の上方開放部たる前記投入用開放部が露出するように構成したことを特徴とする請求項１，２のいずれか１項に記載の土留用コンクリートブロック。
【請求項４】
前記ブロック体の前壁に、前記収納部と前壁外部とを連通する連通孔を設け、この連通孔を介して前記収納部内の水分が前壁外部へと排水されるように構成したことを特徴とする請求項１〜３のいずれか１項に記載の土留用コンクリートブロック。
【請求項５】
前記連通孔と前記後壁の肉抜き貫通孔部とに棒状の透水材を架け渡し状態に配設し、この透水材を介して前記収納部内の水分が前壁外部へと排水されるように構成したことを特徴とする請求項４記載の土留用コンクリートブロック。
【発明の詳細な説明】
【０００１】
【発明の属する技術分野】
本発明は、土留用コンクリートブロックに関するものである。
【０００２】
【従来の技術及び発明が解決しようとする課題】
最近、大型の土留擁壁ブロックが多用されるようになったが、大型化すればする程強度が要求される。
【０００３】
そして、強度を満たすために肉厚にすると、必然的に非常に重くなり持ち運びや取り扱いが厄介となり、それだけ施工が難しくなる。
【０００４】
本発明は、この点、軽量で取り扱い易い上に、成形が容易で安価に量産可能となり、しかも頑丈で上方へ行く程後方へ傾斜した大型擁壁を施工することも容易に行われる画期的な土留用コンクリートブロックを提供するものである。
【０００５】
【課題を解決するための手段】
添付図面を参照して本発明の要旨を説明する。
【０００６】
底板１の前部に前壁２を、前壁２の後方にして底板１の後部に後壁３を立設して断面Ｕ字状のブロック体４に構成し、このブロック体４の前後壁２・３間の空間部を土５Ａや石やコンクリート廃材や岩屑５Ｂなどを重量物５として収納し得る収納部６に構成すると共に、この収納部６の少なくとも上方開放部をこの収納部６内に重量物５を投入するための投入用開放部７に構成し、このブロック体４の少なくとも底板１と後壁３とに肉抜き貫通孔部８を設けて前記収納部６内の通水部９を構成し、このブロック体４の前壁２下部に前方へ向けて脚部１０を突設し、この脚部１０の下部にブロック体４の前壁２上縁に係止し得る前壁係合部１１を設けるか若しくは、前記底板１にブロック体４の後壁３上縁に係止し得る後壁係合部１２を設け、この前壁係合部１１若しくは後壁係合部１２を介してブロック体４を上下多段に積み上げ設置すると、上方へ行く程後方へ傾斜した大型擁壁Ａが形成されるように構成したことを特徴とする土留用コンクリートブロックに係るものである。
【０００７】
また、前記ブロック体４の底板１と後壁３とに大きな肉抜き貫通孔部８を設けて、この底板１と後壁３とを枠状に構成したことを特徴とする請求項１記載の土留用コンクリートブロックに係るものである。
【０００８】
また、前記脚部１０は、前記ブロック体４の前壁２の下部左右部に夫々略水平状態に突設して、この左右の脚部１０間に下方に設置されたブロック体４の上方開放部たる前記投入用開放部７が露出するように構成したことを特徴とする請求項１，２のいずれか１項に記載の土留用コンクリートブロックに係るものである。
【０００９】
また、前記ブロック体４の前壁２に、前記収納部６と前壁２外部とを連通する連通孔１３を設け、この連通孔１３を介して前記収納部６内の水分が前壁２外部へと排水されるように構成したことを特徴とする請求項１〜３のいずれか１項に記載の土留用コンクリートブロックに係るものである。
【００１０】
また、前記連通孔１３と前記後壁３の肉抜き貫通孔部８とに棒状の透水材１４を架け渡し状態に配設し、この透水材１４を介して前記収納部６内の水分が前壁２外部へと排水されるように構成したことを特徴とする請求項４記載の土留用コンクリートブロックに係るものである。
【００１１】
【発明の実施の形態】
好適と考える本発明の実施の形態（発明をどのように実施するか）を、図面に基づいてその作用効果を示して簡単に説明する。
【００１２】
底板１の前後に前壁２と後壁３とを立設して断面Ｕ字状になすと共に、少なくとも底板１と後壁３とに肉抜き貫通孔部８を設けて成る本発明の土留用コンクリートブロックは、筒型や箱型のブロックや肉抜き部のないブロックに比べてブロック体４成形に要するコンクリート使用量が少なくて済むために原価を易くすることができ、しかもＵ字状のブロック体４は型抜きが非常に容易に行われるために成形し易く、量産性に秀れ安価に大量生産が可能となる。
【００１３】
また、コンクリート使用量が少ないことでブロック体４自体の重量が軽量となるため、このブロック体４の設置作業も極めて容易に且つ安全に行うことができることとなる。
【００１４】
設置方法を具体的に説明すると、現場にて基礎作りを行い、この基礎上に工場で型作りしたブロック体４を並設設置してこのブロック体４を土壁面に添設状態とし、この状態で適宜な手段によりブロック体４を基礎上に設置固定する。
【００１５】
次いで、このブロック体４の収納部６に例えば、投入用開放部７から重量物５として土５Ａや石やコンクリート廃材や岩屑５Ｂなどを投入収納してブロック体４に重量を付加する。
【００１６】
そして、この設置したブロック体４の上部に、更に他のブロック体４を多段に積み上げるが、この際上方に配したブロック体４の脚部１０を下方のブロック体４の前壁２上縁部に載置すると共に、上方のブロック体４の底板１を下方のブロック体４の後壁３上縁部に載置した上、単に上方のブロック体４の脚部１０の下部に設けた前壁係合部１１に下方のブロック体４の前壁２上縁部を係合するか若しくは、上方のブロック体４の底板１に設けた後壁係合部１２に下方のブロック体４の後壁３上縁部を係合することで上下のブロック体４が位置決め状態で積み上げられることになる。
【００１７】
また、この上方へ積み上げられたブロック体４の収納部６にも前記同様に重量物５を投入収納して重量を付加する。
【００１８】
すると、脚部１０を前壁２から前方へ突設していることにより一段ずつブロック体４の位置が後方へずれて上方へ行く程後方へ傾斜した大型擁壁Ａが形成されることになり、しかもこの大型擁壁Ａは各ブロック体４に重量物５によって重量が付加されていることにより横ずれしにくく強度圧に耐え得ることになる。
【００１９】
従って、軽量で取り扱い容易な本発明のブロック体４を基礎上に並べて収納部６に重量物５を収納し、次いでこの並べたブロック体４上に他のブロック体４を積み上げて重量物５を収納するという作業を繰り返すだけで、容易に後方へ傾斜した大型擁壁Ａを施工することができる。
【００２０】
また、この際ブロック体４には、少なくとも底板１と後壁３とに設けた肉抜き貫通孔部８により収納部６内の通水部９が構成されているため、例えば多量の水が土壁面中に流れ込んだような場合でもブロック体４内に水が止まることはなく、下方へと水は流れていくことになる。よって、ブロック体４で土壁面中の水を止めることがないため、土壁面は崩れにくくなる。
【００２１】
【実施例】
本発明の具体的な実施例について図面に基づいて説明する。
【００２２】
本実施例のブロック体４は、図１（ａ），（ｂ）に示すように、底板１の前部に前壁２を、前壁２の後方にして底板１の後部に後壁３を立設して左右側壁のない断面Ｕ字状のブロック体４に構成している。また、この前壁２の上部前面と後壁３の上部後面とには補強条１５を一体的に突設して強度アップを図っている。
【００２３】
また、このブロック体４の前後壁２・３間の空間部を土５Ａや石やコンクリート廃材や岩屑５Ｂなどを重量物５として収納し得る収納部６に構成すると共に、この収納部６の上方開放部をこの収納部６内に重量物５を投入するための投入用開放部７に構成している。
【００２４】
また、本実施例では、図１に示すように、ブロック体４の底板１と後壁３とに大きな肉抜き貫通孔部８を設けて、この底板１と後壁３とを枠状に構成している。更に詳しく説明すると、後壁３には、左右二箇所に並設状態にして方形状の大きな肉抜き貫通孔部８を形成している。
【００２５】
従って、この肉抜き貫通孔部８を設けることによって、ブロック体４成形時のコンクリート使用量が削減すると共に、ブロック体４の重量が軽量化して取り扱い容易となるように構成している。尚、前壁２は、土壁面の土留並びに収納部６内に収納した重量物５の流出防止効果を確実に発揮させるために、肉抜き貫通孔部８を設けることはできない。
【００２６】
また、この底板１と後壁３とに設けられた肉抜き貫通孔部８は、前記収納部６内の通水部９に構成し、この貫通孔部８を介して土壁面中の水が下方へと流れるように構成している。
【００２７】
また、本実施例では、ブロック体４の前壁２に、前記収納部６と前壁２外部とを連通する連通孔１３を設けている。
【００２８】
具体的に説明すると、この連通孔１３は、前壁２の下方寄り左右部の二箇所に設けている。また、この連通孔１３にはブロック体４の前後壁２・３間の幅に略合致する長さの棒状透水材１４（サンドマット）を嵌入して図４に示すようにこの透水材１４を連通孔１３と肉抜き貫通孔部８とに架け渡し状態に配設し、この透水材１４を介して収納部６内に進入した水分がブロック体４の前壁２からも外部へと排水されるように構成している。
【００２９】
また、この透水材１４は、前記連通孔１３を丁度閉塞した状態で嵌入し得るように断面形状を設定構成し、この透水材１４によって連通孔１３から収納部６内の重量物５が流出することを防止している。
【００３０】
また、本実施例では、このブロック体４の前壁２下部に前方へ向けて脚部１０を一体的に突設している。
【００３１】
具体的に説明すると、脚部１０は、ブロック体４の前壁２の下部左右部に間隔を置いて夫々略水平状態に突設している。従って、このように前壁２下部の左右部にだけ脚部１０を設ける構成とすることにより、前壁２の横幅方向に沿って長く脚部１０を形成する場合に比してブロック体４成形に要するコンクリート使用量が少なくて済み、原価を安くできる。
【００３２】
また、この前壁２の左右部に間隔を置いて突設された脚部１０間には、下方に設置されたブロック体４の上方開放部たる前記投入用開放部７が露出することになり、後述するように前記収納部６内に重量物５として土５Ａを収納した場合には、図５に示すようにこの土５Ａに植生する植物が上方に積み上げられたブロック体４の脚部１０間から露出して見えるように構成している。
【００３３】
また、この左右の脚部１０の下部にはブロック体４の前壁２上縁が係止し得る前壁係合部１１を設け、前記底板１にブロック体４の後壁３上縁が係止し得る後壁係合部１２を設けている。
【００３４】
具体的に説明すると、図３，図４に示すように、左右の脚部１０の下部にブロック体４の前壁２上縁が嵌合係合する前壁係合部１１としての凹部を形成し、底板１下面の中間部よりやや後方側の位置にブロック体４の後壁３上縁が係止し得る後壁係合部１２としての凹部を形成している。
【００３５】
従って、単にブロック体４の上方から他のブロック体４を下ろすことによって前壁係合部１１と前壁２上縁とが係合係止すると共に、後壁係合部１２と後壁３上縁とが係合係止することになる構成としている。
【００３６】
また、本実施例では図示していないが、例えば、脚部１０の下部と底板１の下面とに前壁２の後面と後壁３の後面とに係止する突起部を垂設することで前記前壁係合部１１と後壁係合部１２とを構成しても良いし、その他の構成としても良い。
【００３７】
従って、本実施例では、脚部１０を前壁２の前方へ突設したことによって、複数のブロック体４を上下多段に積み上げ設置した際には、この脚部１０がある分だけ上方のブロック体４は後方へ位置ずれした状態で積み上げられるように構成し、これによりブロック体４は階段状に積み上げられて上方へ行く程後方へ傾斜した大型擁壁Ａが形成されることとなるように構成している。
【００３８】
尚、図１〜図５では前壁２が無模様の第一実施例を示しているが、図６に示す第二実施例、図７に示す第三実施例、図８に示す第四実施例は、いずれもブロック体４の前壁２に異なる模様を施した場合である。また、勿論、この第二〜第四実施例以外の装飾模様をブロック体４の前壁２に施しても良い。
【００３９】
次に、本実施例の土留用コンクリートブロックを用いた設置法を説明する。
【００４０】
本実施例では、ブロック体４の設置現場にて生じた残土５Ａを、重量物５として使用している。
【００４１】
この残土５Ａは、従来、高い費用をかけて移送し廃棄していたが、このように重量物５として使用することで移送費用並びに廃棄費用を削減できることになるので、この方法は極めて有用となる。
【００４２】
例えば、現場で土壁面に沿って基礎作りを行い、この基礎上に工場で型作りした前記ブロック体４を並設載置してこのブロック体４を土壁面に添設状態とし、この状態で硬化剤などによりブロック体４を基礎上に設置固定する。
【００４３】
尚、この最下段に設置されるブロック４は、前壁２の下部に脚部１０を有せず、側溝１６が形成された側溝付ブロック体４を使用した場合を示している。また、この最下段に配する側溝１６付のブロック体４においては、前記前壁係合部１１も後壁係合部１２も不要であるため、設けていない。
【００４４】
また、本実施例では、ブロック体４を左右に並べる際に、図１に示すように、左右のブロック体４の底板１の左右側縁部間に断面コ字状の連結具１７を上方から被嵌すると共にこの連結具１７の左右の遊離端部を前記底板１の肉抜き貫通孔部８に差し込みすることで左右のブロック体４を強固に連結する構成としている。
【００４５】
更に、この連結具１７の左右端部の遊離端部を前記肉抜き貫通孔部８を介して地面や下方に積まれたブロック体４の収納部６内に収納した重量物５（例えば残土５Ａ）に突き刺し、この連結具１７の突き刺さり効果によってブロック体４が土圧を受けた際に前方へずり動しにくくなるように構成している。
【００４６】
次いで、この最下段のブロック体４の収納部６に投入用開放部７から岩屑５Ｂを多数投入収納して重量を付加する。
【００４７】
この設置した最下段のブロック体４の上部に、前記前壁係合部１１と後壁係合部１２とを利用して他のブロック体４を積み上げ並設固定し、この積み上げたブロック体４の収納部６にも前記同様に残土５Ａを投入収納して重量を付加する。
【００４８】
以下、同様にしてブロック体４を所望段数積み上げして、収納部６に残土５Ａを投入して重量を付加する。
【００４９】
すると、この残土５Ａによって重量が付加されていることによりブロック体４が横ずれしにくくなり、強土圧に耐え得る大型擁壁Ａが出来上がることになる。
【００５０】
尚、図３，図５では、ブロック体４を千鳥状に積み上げした場合を示しているが、この場合、形成される大型擁壁Ａの左右部が略面一状態で収まるように端の部分には横幅の狭いブロック体４を使用することが好ましい。
【００５１】
従って、単に予め工場で成形されたブロック体４を並べて収納部６に土５Ａを投入し、次いで、この設置したブロック体４上にブロック体４を積み上げて土５Ａを収納するという作業を繰り返すだけで強土圧に耐え得る大型の大型擁壁Ａが出来上がるので、設置作業を容易に且つ迅速に行うことができる。
【００５２】
また、この際、大型擁壁Ａを構成する各ブロック体４には肉抜き貫通孔部８による通水部９が形成されるため、この通水部９から土壁面中の水が極めて良好に下方へと排水されることになり、更に連通孔１３並びに透水材１４を介して収納部６内の水分は前壁２外部へも排水されることになる。
【００５３】
また、特に最下段のブロック体４の収納部６には、岩屑５Ｂを多数収納しているため、この岩屑５Ｂ間に生じる隙間により通水性の良好な前記通水部９並びに前壁２外部への排水路を形成することになり、極めて良好な排水効果が得られることになる。
【００５４】
従って、例えば大雨によって多量の水が土壁面中に流れ込んだ場合でも、このブロック体４が土壁面中に流れ込んだ水の排水の邪魔となったりせずに、大型擁壁Ａ外へ良好に排水されることになり、土壁面が著しく崩れにくくなる。
【００５５】
また、設置されたブロック体４は、階段状に積み上げられることになる上、脚部１０間から下方のブロック体４の投入用開放部７が露出しているため、図４に示すように多数露出する投入用開放部７の残土５Ａに植物が植生して大型擁壁Ａの広範囲が緑化することになり、自然に馴染んだ極めて体裁良好な景観を呈することになる。
【００５６】
尚、本発明は、本実施例に限られるものではなく、各構成要件の具体的構成は適宜設計し得るものである。
【００５７】
【発明の効果】
本発明は上述のように構成したから、ブロック体自体の重量が非常に軽量で取り扱い易いために設置作業を極めて容易に且つ安全に行うことができるし、軽量なブロック体であるにもかかわらず、収納部に収納する重量物によって重量付加されて横ずれしにくく強度圧に耐え得る大型擁壁を容易に形成することができ、しかも、断面Ｕ字状であって肉抜き貫通孔部を設けたブロック体は、筒型や箱型のブロックや肉抜き部を有しないブロックに比べて成形に要するコンクリート使用量が少なくて済むため原価を安くできるし、型抜きが非常に容易で成形し易いため安価に大量生産が可能となり、その上、ブロック体には、少なくとも底板と後壁とに設けた肉抜き貫通孔部により収納部内の通水部が構成されているため、ブロック体内に水が止まることはなく、土壁面が崩れにくくなるなど極めて実用性に秀れた画期的な土留用コンクリートブロックとなる。
【００５８】
また、請求項２記載の発明においては、成形時のコンクリート使用量が一層少なくなる上、これによって一層軽量ともなるために、一層安価で取り扱い容易な製品を提供可能となる極めて実用性に秀れた構成の土留用コンクリートブロックとなる。
【００５９】
また、請求項３記載の発明においては、前壁下部の左右部にだけ脚部を設ける構成とすることにより、前壁の横幅方向に沿って長く脚部を形成するような場合に比してブロック体成形に要するコンクリート使用量が少なくて済むから安価に構成可能となり、しかも、この左右の脚部間に下方に設置されたブロック体の上方開放部たる前記投入用開放部が露出するため、例えば収納部内に重量物として土を収納した場合には、この土に植生する植物が上方に積み上げられたブロック体の脚部間から露出して自然に馴染んだ美しい景観が得られることになる極めて実用性に秀れた土留用コンクリートブロックとなる。
【００６０】
また、請求項４記載の発明においては、連通孔を介してブロック体の前壁外部へも収納部内の水分が排出されるから一層土壁面が崩れにくくなる極めて実用性に秀れた構成の土留用コンクリートブロックとなる。
【００６１】
また、請求項５記載の発明においては、透水材を介して収納部内の水分がブロック体の前壁外部へ一層良好に排出されることになる極めて秀れた構成の土留用コンクリートブロックとなる。
【図面の簡単な説明】
【図１】第一実施例を示す説明斜視図である。
【図２】第一実施例の並設させたブロック体の連結構造を示す説明斜視図である。
【図３】第一実施例のブロック体を上下に積み上げた状態を示す説明斜視図である。
【図４】図２の側面図である。
【図５】第一実施例のブロック体を上下に積み上げて大型擁壁を形成した使用状態を示す説明斜視図である。
【図６】第二実施例を示す斜視図である。
【図７】第三実施例を示す斜視図である。
【図８】第四実施例を示す斜視図である。
【符号の説明】
１  底板
２  前壁
３  後壁
４  ブロック体
５  重量物
５Ａ  土
５Ｂ  岩屑
６  収納部
７  投入用開放部
８  肉抜き貫通孔部
９  通水部
１０  脚部
１１  前壁係合部
１２  後壁係合部
１３  連通孔
１４  通水材
Ａ  大型擁壁
【図１】
0003559250.tif 000002
【図２】
0003559250.tif 000003
【図３】
0003559250.tif 000004
【図４】
0003559250.tif 000005
【図５】
0003559250.tif 000006
【図６】
0003559250.tif 000007
【図７】
0003559250.tif 000008
【図８】
0003559250.tif 000009